【事件の表示】
　特願２００３−２８６０５４「映像データ記録再生システム、映像データ記録再生方法、編集制御装置及び映像データ記憶装置」拒絶査定不服審判事件〔平成１６年　３月１１日出願公開、特開２００４−　７８９４５〕について、次のとおり審決する。
【結　論】
　本件審判の請求は、成り立たない。
【理　由】
Ｉ．手続きの経緯
　本願は、平成６年５月２７日に出願した特願平６−１１５０６７号の一部を平成１５年８月４日に新たな特許出願としたものであって、平成１７年１０月２７日付けで拒絶査定がなされ、これに対し、同年１２月１日に拒絶査定不服審判が請求されるとともに、同年１２月２７日付けで手続補正（以下、「本件補正」という。）がなされたものである。
　
ＩＩ．平成１７年１２月２７日付けの手続補正について
［結論］平成１７年１２月２７日付けの手続補正（以下、「本件補正」という。）を却下する。
　その理由は以下のとおり。
　
［理由］
（１）補正後の本願発明
　本件補正により、特許請求の範囲は、
「【請求項１】
　外部から入力された映像データを記録する映像データ記憶装置と、映像データを読み出して編集を行う編集制御装置とを有する映像データ記録再生システムであって、
　上記映像データ記憶装置、上記編集制御装置は
イーサーネットでなる
イーサーネットでなる
　上記編集制御装置は、上記映像データ記憶装置から映像データを読み出して編集を行うことを特徴とする映像データ記録再生システム。
　【請求項２】
　上記映像データ記憶装置から読み出された映像データが上記編集制御装置によって加工されず送出に必要な部分が選び出された場合は、該映像データは再び上記映像データ記憶装置に記録されず、該映像データの必要な部分のアドレスが保持されることを特徴とする請求項１記載の映像データ記録再生システム。
　【請求項３】
　上記映像データ記憶装置及び上記編集制御装置と上記
イーサーネットでなる
　上記送出装置は上記編集制御装置が上記映像データ記憶装置から読み出して編集した映像データを送出することを特徴とする請求項１記載の映像データ記録再生システム。
　【請求項４】
　外部から入力された映像データを記録する映像データ記憶装置と、映像データを読み出して編集を行う編集制御装置とを有する映像データ記録再生システムによって実行される映像データ記録再生方法であって、
　上記映像データ記憶装置、上記編集制御装置は
イーサーネットでなる
イーサーネットでなる
　上記映像データ記憶装置から映像データを読み出して編集を行う編集制御工程と
　を備えることを特徴とする映像データ記録再生方法。
　【請求項５】
　上記映像データ記憶装置及び上記編集制御装置と上記
イーサーネットでなる
　上記記録工程によって映像データ記憶装置に記録された映像データを、上記編集制御工程が上記映像データ記憶装置から読み出して編集した映像データを送出する送出工程をさらに備えることを特徴とする請求項４記載の映像データ記録再生方法。
　【請求項６】
　外部から入力された映像データを記録する映像データ記憶装置から映像データを読み出して編集を行う編集制御装置であって、
　上記映像データ記憶装置に
イーサーネットでなる
イーサーネットでなる
　【請求項７】
　複数チャンネルの入出力端子と、複数のディスク装置に対して並列的に映像データを記録及び再生する記憶手段と、上記入出力端子から入力された情報データを１チャンネル或いは複数チャンネル同時に上記記憶手段に送り、この記憶手段にて再生された情報データを１チャンネル或いは複数チャンネル同時に任意の順序で上記入出力端子に出力する入出力手段とを有する映像データ記憶装置であって、
　外部から入力された映像データを記録し、かつ
イーサーネットでなる
　上記入出力手段は、上記入出力端子から入力された複数チャンネルの映像データを圧縮すると共に、上記複数のディスク装置から再生された情報データを伸長する圧縮／伸長部を有することを特徴とする映像データ記憶装置。
　【請求項８】
　上記記憶装置として、複数のディスク装置に対して並列的に記録再生を行うディスクアレイ部を用い、
　上記入出力手段内に、入力された複数チャンネルの情報データを分配して上記ディスクアレイ部の複数のディスク装置に送り、これらの複数のディスク装置から再生された情報データを集合して複数チャンネルの出力として取り出す分配／集合部を設けることを特徴とする請求項７記載の映像データ記憶装置。」
　
　と補正された。（なお、アンダーラインは、補正箇所を示すために付したものである。）
　
　上記補正は、本件補正前の請求項１〜８に係る発明を特定するために必要な事項である「コンピュータネットワーク」について、「
イーサネットでなる
　
　そこで、本件補正後の上記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　原査定の拒絶の理由に引用された特開平４−２１１５８７号公報（以下、「刊行物１」という）には、図面とともに、以下の記載がある。
　
（Ａ）「【特許請求の範囲】
【請求項１】　各録画が複数のフレームより成る未編集ビデオ録画を記憶するためのランダムアクセス記憶手段と、該記憶手段に接続され、上記の記憶された録画の選択されたフレームを表示するための手段と、上記の記憶手段を制御し、使用者に対してオフライン編集操作の際任意の時点で複数のビデオ・ポスト製作環境への全体的アクセスを可能とし、使用者が入力する指令に応じて編集物リストを発生するためのソフトウエアでプログラムされたコンピュータとを具えることを特徴とするオフライン編集システム。」
　
（Ｂ）「【００１４】
【実施例】以下、図面を用いて本発明を具体的に説明する。図１は、ポスト製作オフライン編集時に行うステップを示す説明図である。図１では、製作時に製作スタッフがそれぞれ録画を表わす５個のビデオテープ（又は映画フィルム片）を作成した場合を考える。各録画は、１つの台本の一部分に対応するものとする。この録画は、集合的に「デイリーズ」（ｄａｉｌｉｅｓ）と呼ぶことがあり、ポスト製作編集用の素材になるものである。
【００１５】各テープ（又は映画フィルム片）は、レーザビデオディスクに移（コピー）して本発明のビデオディスク再生ユニットに挿入できるようにする。編集者は、オフライン編集時に、図１の右上隅に示す代表的な「第１カット」の特徴を示す編集物リストを作成できる。
この第１カットは、５個の各録画を部分的につなぎ合せたもので、編集された番組を示す。
【００１６】もっと詳しくいえば、編集者は、オフライン編集時に第１ディスクから編集物リスト上の第１「編集物」としてフレームのグループ「Ａ」を決める。編集者は次に、第１ディスクから第２編集物としてフレームのグループ「Ｂ」を決める。以下同様にして、第２ディスクから第３編集物としてフレームのグループ「Ｃ」を、第３ディスクから第４編集物としてフレームのグループ「Ｄ」を、第４ディスクから第５編集物としてフレームのグループ「Ｅ」を、第４ディスクから第６編集物としてフレームのグループ「Ｆ」を、第５ディスクから第７編集物としてフレームのグループ「Ｇ」を、第５ディスクから第８編集物としてフレームのグループ「Ｈ」を決める。」
　
（Ｃ）「【００１９】図２〜７の例では、本発明は、コンピュータ・ファイルの形の編集物リストを発生するようにプログラムされたコンピュータ３０を有する（したがって、編集物リストは、コンピュータ３０により図２に示すような３．５インチのフロッピー・ディスケットに書込める。）。
【００２０】使用者は、コンピュータ・モニタ３５、マウス３３、コンピュータ・キーボード３１を使ってコンピュータ３０とインタフェース（対話）する。コンピュータ３０は６個のレーザビデオディスクユニット５０を制御し、これらの各ユニット５０は、レーザビデオディスク（これに未編集録画が記憶されている。）を動かす手段５０ｂ（図４及び５に示す。）と、レーザビデオディスクに（例えば、他のユニット５０で再生する選択した録画を記憶させるため）１度書込む手段５０ａとを有するものがよい。ソニーのＬＶＲ−５０００及びＬＶＳ−５０００ビデオディスクユニットがそれぞれ、これらの手段５０ｂ，５０ａとして使用するのに適している。
【００２１】ユニット５０からのビデオ信号出力は、１つ以上のビデオモニタ５２ａに送られると共に、プログラムされたコンピュータ３０の制御の下に動作するビデオスイッチャ４６を介して１つ以上のビデオモニタ５２ｂに送られる。図２では、簡単のため１つのビデオモニタ５２ａと１つのビデオモニタ５２ｂのみを示したが、図４には全部で８つのビデオモニタ（５２ａ，５２ｂ，５２ｃ，５２ｄ）を示す。ソニーのＢＶＳ−Ｖ１２１２ビデオルーティングスイッチャが、スイッチャ４６として使用するのに適している。」
　
（Ｄ）「【００２８】図４に示すように、上方３個のビデオディスクユニット５０の各ビデオ再生出力は、ビデオモニタ群５２ａ内の異なるビデオモニタに接続され、下方３個のビデオディスクユニット５０の各ビデオ再生出力は、ビデオモニタ群５２ｃ内の異なるビデオモニタに接続される。各ビデオディスクユニット５０の再生出力はまた、ビデオスイッチャ４６に入力される。該スイッチャ４６の出力は、最上方のユニット５０内のビデオディスク記録ユニット５０ａに接続し、上記スイッチャ４６のビデオ出力を該ユニット５０ａ内のディスクに記録する。他のユニット５０の１つ以上はまた、最上方ユニット５０と同様に、該スイッチャ４６に接続されたビデオディスク記録ユニットを有する。」
　
（Ｅ）「【００３２】ビデオモニタ５２ａ，５２ｂ，５２ｃ，５２ｄ、コンピュータモニタ３５、音声スピーカ５４、音声増幅器５６、ＣＤプレーヤ５８、コンピュータ・キーボード３１及びマウス３３は、図６に示す操作卓ラックに設置するのがよい。図６の配置によれば、使用者は、編集の決定を本システムに入力するようマウスを操作しながら、ビデオモニタを見る（且つ注意を表示されたフレームに集中する）ことができる。そして、編集過程の他の時間に、使用者は、キーボードでコンピュータ指令をタイプしたり、マウスでコンピュータ指令を入力したりしながら、コンピュータ・モニタを見ることができて便利である。
【００３３】また、６個のビデオディスクユニット５０（それぞれレーザビデオディスク記録ユニット５０ａ及び再生ユニット５０ｂを含む。）、プログラムされたコンピュータ３０、ブレークアウト回路ボックス３８、ビデオ特殊効果ユニット４２、ビデオスイッチャ４６、音声スイッチャ４８は、図７に示す装置ラックに設置するのがよい。
【００３４】図８は、本発明のソフトウエアの機能を示す説明図である。図８に示すように、プログラムされたコンピュータ３０は次の如きソフトウエアを含む。すなわち、本システムのビデオ及び音声周辺装置を制御するためのハードウエア駆動ソフトウエア（本システムに使用する周辺装置の各型に対する装置制御ルーチンを含む。）、シーン探索ソフトウエア（使用者が未編集録画を本システム内に取入れ、取入れた録画のリストを作成するのに便利）、編集決定ソフトウエア及び使用者インタフェース・ソフトウエアである。使用者インタフェース・ソフトウエアは、使用者がマウス３３又はキーボード３１を使って入力する指令に応じて他のシステム・ソフトウエアにアクセスでき、且つコンピュータ・モニタ３５の画面に図９に示す形式の表示を発生できるものである。
【００３５】シーン探索ソフトウエアは、使用者が２つの方法のどちらかにより未編集録画を本システムに取入れることを容易にするものである。その方法は、未編集録画がビデオテープ又はビデオディスクのどちらに記憶されているかによって決まる。まず、使用者がビデオテープに記憶された未編集録画からスタートする場合、シーン探索モジュールは、使用者が個々のビデオテープの録画を取入れ（録画再生用にビデオテーププレーヤが本システムに接続されている場合）、再生されている録画のフレームに「入」及び「出」をマークし、マークした録画をビデオディスクにコピーできるようにする（各コピーには、原ビデオテープ録画の最初及び最後のフレームのタイムコードのみならず、新ビデオディスク録画の最初及び最後のフレームのタイムコードをも記憶させる）。或いは、使用者がビデオディスクに記憶された未編集録画からスタートする場合、シーン探索モジュールは、使用者に該録画のうち所望の録画のフレームに「入」及び「出」をマークさせ、マークした各録画に「入」及び「出」（最初及び最後）のフレームのタイムコードを記憶させる（すなわち、シーン探索モジュールではマークした録画を取入れ（記憶す）る。）。
【００３６】シーン探索モジュールはまた、使用者に（キーボード３１を用いて）取入れた録画の説明を入力させ、使用者が入力した説明を記憶させる。また、シーン探索モジュールは、使用者が取入れた録画の説明を訂正したり、選択した録画をシーン探索データベース（このデータベースは、取入れた録画のアドレス及び説明を含む。）に加えたり或いはこれから削除したりできるようにする。
【００３７】編集決定ソフトウエアは、図８に示すように「第１カット」モジュール、「同期ロール」モジュール、「見直し修正」モジュール及び「編集物リスト管理」モジュールを含む。第１カットモジュールは、使用者が取入れた未編集録画から編集物リストを容易に作成できるようにする。編集物リストは、該リスト上の編集物間の接合を決めるタイムコードと、各接合の種類（すなわちワイプ、ディゾルブ、フェード又は単純カット）を決めるコードと、該リスト上の編集物の使用者が入力した説明とを含む。」
　
　図２には、ビデオディスクユニット５０とコンピュータ３０とが接続されていることが示されている。
　
　ここで、上記摘記事項（Ｂ）には「各テープ（又は映画フィルム片）は、レーザビデオディスクに移（コピー）して本発明のビデオディスク再生ユニットに挿入できるようにする。」と記載され、同（Ｅ）の「６個のビデオディスクユニット５０（それぞれレーザビデオディスク記録ユニット５０ａ及び再生ユニット５０ｂを含む。）」との記載、及び図２，図５からみて、レーザビデオディスクはビデオディスクユニット５０の再生ユニット５０ｂに挿入されるものと認められる。
　そして、同（Ｅ）には、「使用者がマウス３３又はキーボード３１を使って入力する指令に応じて他のシステムソフトウェアにアクセスでき」ること、及びシーン探索ソフトウェアは「未編集録画を本システムに取り入れること」、編集決定ソフトウェアは「取り入れた未編集録画から編集物リストを容易に作成できる」ことが開示されているから、例えば「使用者がビデオディスクに記憶された未編集録画からスタートする場合」は、図２からみて、コンピュータ３０は、「マウス３３又はキーボード３１を使って入力する指令に応じて、ビデオディスクユニット５０から未編集録画を読み出して編集物リストの作成を行うこと」は明らかである。
　
　これらの記載事項及び図面の内容を総合すると、刊行物１には、
「未編集録画が記憶されたレーザビデオディスクを挿入したビデオディスクユニット５０と、
　未編集録画を取り入れて編集物リストを作成するソフトウェアを含むコンピュータ３０とを有するオフライン編集システムであって、
　上記ビデオディスクユニット５０、上記コンピュータ３０は接続されており、
　マウス３３又はキーボード３１を使って入力する指令に応じて、
　上記コンピュータ３０は、上記ビデオディスクユニット５０から未編集録画を読み出して編集物リストの作成を行うことを特徴とするオフライン編集システム。」
　という発明（以下、「刊行物１発明」という。）が記載されている。
　
（３）対比
　そこで、本願補正発明と刊行物１発明とを比較する。
　
　刊行物１発明の「未編集録画」は、レーザビデオディスクに記憶され、外部からレーザビデオディスクを介してオフライン編集システムに取り入れられるから、本願補正発明の「外部から入力された映像データ」に相当する。
　また、刊行物１発明の「ビデオディスクユニット５０」は、刊行物１の段落番号【００２８】に記載されているように、各ビデオディスクユニット５０のビデオ再生出力を、ビデオスイッチャを介して、最上方のビデオディスクユニット５０内のビデオ記録ユニット５０ａ内のディスクに記録するから、本願補正発明の「映像データを記録する映像データ記憶装置」に相当する。
　そして、編集物リストの作成は編集の一種であるから、刊行物１発明の「未編集録画を取り入れて編集物リストを作成するコンピュータ３０」は、本願補正発明の「映像データを読み出して編集を行う編集制御装置」に相当し、刊行物１発明における「編集物リストの作成を行う」という動作は、本願補正発明の「編集を行う」という動作に相当する。
　さらに、刊行物１発明の「オフライン編集システム」は、「ビデオディスクユニット５０」と「未編集録画を取り入れて編集物リストを作成するコンピュータ３０」とを有し、編集を行い、この「ビデオディスクユニット５０」は、刊行物１の段落番号【００２８】に記載されているように、各ビデオディスクユニット５０のビデオ再生出力を、ビデオスイッチャを介して、最上方のビデオディスクユニット５０内のビデオ記録ユニット５０ａ内のディスクに記録するから、本願補正発明の「映像データ記録再生システム」に相当する。
　そして、本願補正発明は「イーサネットでなるコンピュータネットワークを介して供給される制御命令に基づいて、上記編集制御装置が上記映像データ記憶装置から映像データを読み出して編集を行い」、一方、刊行物１発明は「マウス３３又はキーボード３１を使って入力する指令に応じて」、編集制御装置が映像データ記憶装置から映像データを読み出して編集を行うから、両者は「供給される制御命令」に基づいて、編集制御装置が映像データ記憶装置から映像データを読み出して編集を行う点で一致する。
　
　そうすると、本願補正発明と刊行物１発明とは、
「外部から入力された映像データを記録する映像データ記憶装置と、
　映像データを読み出して編集を行う編集制御装置と
を有する映像データ記録再生システムであって、
　上記映像データ記憶装置、上記編集制御装置は接続されており、
　供給される制御命令に基づいて、上記編集制御装置は、上記映像データ記憶装置から映像データを読み出して編集を行う
　ことを特徴とする映像データ記録再生システム。」
　である点で一致し、以下の点で相違している。
　
［相違点］
［相違点１］
　本願補正発明では「映像データ記憶装置」、「編集制御装置」が「イーサーネットでなるコンピュータネットワークを介して接続されて」いるのに対し、刊行物１発明では、どのように接続されているのかが明らかでない点。
　
［相違点２］
　本願補正発明において、「制御命令」は、「イーサーネットでなるコンピュータネットワークを介して」供給されるのに対して、刊行物１発明では、「マウス又はキーボードにより」供給される点。
　
（４）判断
［相違点１］について
　特開平４−２３７３８１号公報（以下、「周知例１」という。）には、図面とともに、以下の記載がある。
　
「【０００７】
【作用】本発明に係る動画像編集処理装置が適用されるシステムは、図１に示すように、通信ネットワーク１、動画像ファイルサーバ２、ワークステーション３、動画像編集ワークステーション６からなる。動画像ファイルサーバ２は動画像記憶部２１と通信部２２を有し、ワークステーション３は編集指示部３１、操作入力部３２、画像表示部３３、通信部３４を有し、動画像編集ワークステーション６は動画像編集部６１、操作入力部６２、動画像表示部６３、通信部６４を有している。
【０００８】このシステムにおいて、動画像は、主として動画像ファイルサーバ２に保存されている。動画像ファイルの内部構成は、図２に示すように、画像サイズ，色空間等の属性１２と、動画像データ１３と、そしてリンク情報１４からなり、これらに予めインデックス１１を付けたことを特徴としている。このような構成の複数の動画像ファイルを想定する。
【０００９】本発明では、このインデックス情報を用いて編集操作手段により動画像の編集操作を行う。」
　
「【００２０】なお、第１図に示したシステムには、動画像ファイルサーバ２、ワークステーション３および動画像編集ワークステーション６がそれぞれ１つであるものを示したが、これらの数に制限はなく、複数であってもよい。また、通信ネットワーク１は、同軸ケーブルを用いるイーサネット（Ｅｔｈｅｒｎｅｔ）に限らず、たとえばＦＤＤＩ（光ファイバ１００ＭＨｚネットワーク）や，無線などを用いることができる。」
　
　また、特開平６−１１９４００号公報（以下、「周知例２」という。）には、図面とともに、以下の記載がある。
　
「【００１３】
【実施例】以下、図面を参照して本発明の一実施例を説明する。図１は本発明の一実施例に係る画像データファイリング装置の概略構成を示すブロック図であり、図２は本発明の要部であるバックアップ／リカバリ制御部の構成を示すブロック図である。」
　
「【００１６】通信制御部４は、装置に接続されている通信デバイス１３に対する装置制御等を行なうものである。通信デバイス１３には所定の通信媒体１４が接続されており、その通信媒体１４に接続されている他の装置、例えば、画像作成装置や画像編集装置等との間でデータの授受を行なう。通信媒体１４としては、例えば、公衆回線やイーサネットケーブル、光ファイバあるいは無線等があり、通信デバイス１３は、その通信媒体１４に応じた機器、例えば、通信媒体１４が公衆回線であればモデム、イーサネットケーブルであればトランシーバ等で構成される。このような通信デバイス１３と通信媒体１４とに応じて、通信制御部４は所定のプロトコルに従って他の装置との通信を行ない、受信したデータをシステム制御部２に与えたり、システム制御部２から与えられたデータを他の装置に送信する等を行なう。」
　
「【００２１】アプリケーションプログラム部７は、装置の提供している機能、例えば、光磁気ディスク１６に記憶されている画像データを検索して、検索した画像データを他の装置に送信したり、あるいは、他の装置から画像データを受信し、受信した画像データを所定の光磁気ディスク１６に記憶するために、管理情報にデータの登録を行なう等の各種のアプリケーションプログラムによって構成されている。例えば、システム制御部２から、光磁気ディスク１６に記憶されている画像データを検索して、検索した画像データを他の装置に送信するプログラムが起動されると、システム制御部２を介して、光磁気ディスク制御部５や通信制御部４等を起動しながら処理を実行する。」
　
「【００２４】図３は上述の画像データファイリング装置のハードウエア構成を示しているが、Ｈ／Ｄ１８には管理情報以外にも、上述した処理制御部１の各部の処理を実行する処理手順（プログラム）が予め記憶されており、それらのプログラムはシステム起動時にＨ／Ｄ１８からＣＰＵメモリ１９に読み出され、入力装置１１から入力されたオペレータの指示等に従って所定のプログラムがＣＰＵ２０で実行されるように構成されている。なお、上述した入力装置１１、出力装置１２、通信デバイス１３、オートチェンジャ装置１５、Ｈ／Ｄ１８は、ＣＰＵメモリ１９、ＣＰＵ２０とともにバス２１を介して接続されている。」
　
　これら周知例１、２に記載のように、「データを記憶する装置（「動画像ファイルサーバ２」、「画像データファイリング装置」）とデータを編集する装置（「編集指示部３１を有するワークステーション３」、「画像編集装置」）とを、イーサーネットでなるコンピュータネットワークを介して接続すること」は、本願の出願時において周知（以下、「周知技術」という。）であったものと認められる。
　そうすると、刊行物１発明において、映像データ記憶装置と編集制御装置とを接続するにあたって、上記周知技術を用いて、イーサーネットでなるコンピュータネットワークを介して接続することは、当業者であれば適宜なし得た設計事項である。
　
［相違点２］について
　イーサネットを介して制御命令を供給することは例を挙げるまでもなく一般的に行われていることであるから、刊行物１発明において、編集制御装置に制御命令を供給するにあたって、マウス又はキーボードにより供給する方法に代えて、イーサーネットを介して制御命令を供給する方法を採用することは、当業者であれば適宜なし得た設計事項である。
　
　そして、本願発明のように構成したことによる効果も、刊行物１発明及び上記周知技術から予測できる程度のものである。
　
　したがって、本願補正発明は、刊行物１発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第５項の規定に違反するものであり、同法第１５９条第１項で準用する同法第５３条第１項の規定により却下されるべきものである。
　
３．本願発明について
　平成１７年１２月２７日付けの手続補正は上記の通り却下されたので、本願の請求項１に係る発明（以下、「本願発明」という）。は、平成１７年９月２６日付け手続補正書の特許請求の範囲の請求項１に記載された事項により特定される、以下のとおりのものである。
　
「外部から入力された映像データを記録する映像データ記憶装置と、映像データを読み出して編集を行う編集制御装置とを有する映像データ記録再生システムであって、
　上記映像データ記憶装置、上記編集制御装置はコンピュータネットワークを介して接続されており、上記コンピュータネットワークを介して供給される制御命令に基づいて、
　上記編集制御装置は、上記映像データ記憶装置から映像データを読み出して編集を行うことを特徴とする映像データ記録再生システム。」
　
（１）刊行物１
　刊行物１の記載事項は、前記「２．平成１７年１２月２７日付けの手続補
正についての補正却下の決定」の「（２）刊行物の記載」に記載したとおりである。
　
（２）対比・判断
　本願発明は、前記「２．平成１７年１２月２７日付けの手続補正について」の「（１）補正後の本願発明」で検討した本願補正後の請求項１に係る発明と対比すると、「イーサーネットでなる」との限定を省いたものと認められる。
　そうすると、本願発明に包含される本願補正発明が、前記「２．平成１７年１２月２７日付けの手続補正について」の「（４）判断」に記載したとおり、刊行物１発明及び周知技術に基づいて当業者が容易に発明をすることができたものであるから、本願発明も、同様の理由により、刊行物１発明及び周知技術に基づいて、当業者が容易に発明をすることができたものである。
　
（３）むすび
　以上の通り、本願の請求項１に係る発明は、刊行物１発明及び周知技術に基づいて、当業者が容易に発明をすることができたものであるから、特許法第２９条第２項の規定により特許を受けることができないものである。
　したがって、本願は、その余の請求項について言及するまでもなく拒絶すべきものである。
　よって、結論のとおり審決する。